(57)【要約】【課題】  消費エネルギーを十分に低減することができる空調システム及び制御方法を提供する。【解決手段】  空調システム１は、１以上の室外機６１ａ，・・・と複数の室内機６２ａ，・・・とを有する空調システムであって、第１決定部２５と制御部２２とを備える。複数の室内機６２ａ，・・・は、同一の部屋ＲＭ１，・・・に配備される。第１決定部２５は、室外供給熱量とそれぞれの第２仕様情報とに基づいて、部屋ＲＭ１，・・・における室内機６２ａ，・・・の稼働台数を決定する。室外供給熱量は、室外機６１ａ，・・・が部屋ＲＭ１，・・・へ供給する熱量である。第２仕様情報は、各室内機６２ａ，・・・の仕様に関する情報である。制御部２２は、第１決定部２５が決定した稼働台数に基づいて、部屋ＲＭ１，・・・における室内機６２ａ，・・・の稼働台数を制御する。【選択図】      図１
2006220345.tif 000002
【特許請求の範囲】
【請求項１】
１以上の室外機（６１ａ，・・・）と、同一の対象空間に配備される複数の室内機（６２ａ，・・・）と、を有する空調システム（１，１ａ，１ｂ）であって、
前記室外機（６１ａ，・・・）が前記対象空間へ供給する熱量である室外供給熱量と、各前記室内機（６２ａ，・・・）の仕様に関する情報であるそれぞれの第２仕様情報とに基づいて、前記対象空間における前記室内機（６２ａ，・・・）の稼働台数を決定する第１決定部（２５）と、
前記第１決定部（２５）が決定した前記稼働台数に基づいて、前記対象空間における前記室内機（６２ａ，・・・）の稼働台数を制御する制御部（２２）と、
を備えた、
空調システム（１，１ａ，１ｂ）。
【請求項２】
前記１以上の室外機（６１ａ，・・・）の仕様に関する情報である第１仕様情報を記憶している第１記憶部（２６）と、
各前記室内機（６２ａ，・・・）の運転状態と前記第１仕様情報とに基づいて、前記室外供給熱量を演算する第１演算部（２３）と、
各前記第２仕様情報を記憶している第２記憶部（２７）と、
をさらに備えた、
請求項１に記載の空調システム（１，１ａ，１ｂ）。
【請求項３】
前記室内機（６２ａ，・・・）の前記運転状態は、前記１以上の室外機（６１ａ，・・・）の消費電力量を前記室内機（６２ａ，・・・）に割り当てた値、前記１以上の室外機（６１ａ，・・・）の運転能力を前記室内機（６２ａ，・・・）に割り当てた値、前記１以上の室外機（６１ａ，・・・）の圧縮機の運転周波数を前記室内機（６２ａ，・・・）に割り当てた値、及び前記室内機（６２ａ，・・・）の空調負荷の少なくとも１つである、
請求項２に記載の空調システム（１，１ａ，１ｂ）。
【請求項４】
前記第１決定部（２５）は、第１期間ごとに、前記対象空間における前記室内機（６２ａ，・・・）の前記稼働台数を決定する、
請求項２又は３に記載の空調システム（１，１ａ，１ｂ）。
【請求項５】
前記第２仕様情報は、定格容量に関する情報を含み、
前記第１決定部（２５）は、前記対象空間において稼働する前記室内機（６２ａ，・・・）について定格容量を合計した値が前記室外供給熱量に１より大きい係数をかけた値以上になるように、前記対象空間における前記室内機（６２ａ，・・・）の前記稼働台数を決定する、
請求項１から４のいずれか１項に記載の空調システム（１，１ａ，１ｂ）。
【請求項６】
前記第１決定部（２５）は、前記室内機（６２ａ，・・・）の優先順位を考慮して、前記対象空間において停止する前記室内機（６２ａ，・・・）を決定する、
請求項１から５のいずれか１項に記載の空調システム（１，１ａ，１ｂ）。
【請求項７】
各前記室内機（６２ａ，・・・）の前記運転状態と前記稼働台数の実績とに基づいて、前記対象空間における前記室内機（６２ａ，・・・）の前記稼働台数を決定する第２決定部（３２ｂ）をさらに備えた、
請求項２から６のいずれか１項に記載の空調システム（１，１ａ，１ｂ）。
【請求項８】
前記対象空間の空調環境に関する要望を受ける要望入力部（３５ａ，・・・）と、
少なくとも前記要望に基づいて、各前記室内機（６２ａ，・・・）の前記運転状態を演算する第２演算部（２４）と、
をさらに備えた、
請求項２から７のいずれか１項に記載の空調システム（１，１ａ，１ｂ）。
【請求項９】
前記第２演算部（２４）は、前記要望と気象情報とに基づいて、各前記室内機（６２ａ，・・・）の前記運転状態を演算する、
請求項８に記載の空調システム（１，１ａ，１ｂ）。
【請求項１０】
前記対象空間において稼働する前記室内機（６２ａ，・・・）について前記室内機（６２ａ，・・・）の前記運転状態を合計した値と前記稼働台数との相関関係を表示する表示部（３１ａ）をさらに備えた、
請求項２から９のいずれか１項に記載の空調システム（１，１ａ，１ｂ）。
【請求項１１】
前記室内機（６２ａ，・・・）は、
前記対象空間の空気と熱交換する熱交換部（６２ａａ，・・・）と、
前記熱交換部（６２ａａ，・・・）が熱交換した空調空気を前記対象空間へ送り出す送風部（６２ａｂ，・・・）と、
前記室外機（６１ａ，・・・）から前記熱交換部（６２ａａ，・・・）への冷媒の供給を遮断することが可能な開閉部（６２ａｃ，・・・）と、
を有し、
前記制御部（２２）は、
前記送風部（６２ａｂ，・・・）が稼働し前記開閉部（６２ａｃ，・・・）が開状態である第１状態と、前記送風部（６２ａｂ，・・・）が稼働し前記開閉部（６２ａｃ，・・・）が閉状態である第２状態と、前記送風部（６２ａｂ，・・・）が停止し前記開閉部（６２ａｃ，・・・）が閉状態である第３状態とのいずれかに、各前記室内機（６２ａ，・・・）を切り替え、
前記稼働台数は、前記第１状態及び前記第２状態のいずれかである前記室内機（６２ａ，・・・）の台数である、
請求項２から１０のいずれか１項に記載の空調システム（１，１ａ，１ｂ）。
【請求項１２】
１以上の室外機（６１ａ，・・・）と、同一の対象空間に配備される複数の室内機（６２ａ，・・・）と、を有する空調装置の制御方法であって、
前記１以上の室外機（６１ａ，・・・）の仕様に関する情報である第１仕様情報が記憶される第１ステップと、
各前記室内機（６２ａ，・・・）の運転状態と前記第１仕様情報とに基づいて、前記室外機（６１ａ，・・・）が前記対象空間へ供給する熱量である室外供給熱量が演算される第２ステップと、
各前記室内機（６２ａ，・・・）の仕様に関する情報である第２仕様情報が記憶される第３ステップと、
前記室外供給熱量と各前記第２仕様情報とに基づいて、前記対象空間における前記室内機（６２ａ，・・・）の前記稼働台数が決定される第４ステップと、
前記第４ステップで決定された前記稼働台数に基づいて、前記対象空間における前記室内機（６２ａ，・・・）の稼働台数が制御される第５ステップと、
を備えた、
制御方法。
【発明の詳細な説明】
【技術分野】
【０００１】
本発明は、空調システム及び制御方法に関する。
【背景技術】
【０００２】
従来から、１以上の室外機と、同一の対象空間に配備される複数の室内機と、を有する空調システムが提案されている（例えば、特許文献１参照）。
【特許文献１】特公平５−２８９０（第１−５頁、第１−５図）
【発明の開示】
【発明が解決しようとする課題】
【０００３】
しかし、従来の技術では、対象空間における室内機のエネルギーが必要以上に消費されることがある。例えば、要求される空調負荷が低いときに、室内機のファンは稼働したままだが室外機から室内機への冷媒の供給が遮断されることがある（サーモオフ状態）。このとき、室内機のファンは稼働したままなので、室内機において必要以上のエネルギーが消費されることがある。特に、対象空間に配備される室内機の台数が多い場合に、対象空間全体として多くのエネルギーが必要以上に消費されることがある。すなわち、従来の技術では、消費エネルギーを十分に低減できないおそれがある。
【０００４】
本発明の課題は、消費エネルギーを十分に低減することができる空調システム及び制御方法を提供することにある。
【課題を解決するための手段】
【０００５】
第１発明に係る空調システムは、１以上の室外機と複数の室内機とを有する空調システムであって、第１決定部と、制御部とを備える。複数の室内機は、同一の対象空間に配備される。第１決定部は、室外供給熱量とそれぞれの第２仕様情報とに基づいて、対象空間における室内機の稼働台数を決定する。室外供給熱量は、室外機が対象空間へ供給する熱量である。第２仕様情報は、各室内機の仕様に関する情報である。制御部は、第１決定部が決定した稼働台数に基づいて、対象空間における室内機の稼働台数を制御する。
【０００６】
この空調システムでは、第１決定部は、室外供給熱量とそれぞれの第２仕様情報とに基づいて、対象空間における室内機の稼働台数を決定する。制御部は、稼働台数の情報を受け取ることができる。制御部は、第１決定部が決定した稼働台数に基づいて、対象空間における室内機の稼働台数を制御する。
このように、室外供給熱量と第２仕様情報とに基づいて室内機の稼働台数が決定され、その稼働台数に基づいて対象空間における室内機の稼働台数を制御部が制御するので、室外供給熱量に対して室内機の稼働台数を必要最低限なものとすることができる。このため、消費エネルギーを十分に低減することができる。
【０００７】
第２発明に係る空調システムは、第１発明の空調システムであって、第１記憶部と、第１演算部と、第２記憶部とをさらに備える。第１記憶部は、第１仕様情報を記憶している。第１仕様情報は、１以上の室外機の仕様に関する情報である。第１演算部は、各室内機の運転状態と第１仕様情報とに基づいて、室外供給熱量を演算する。第２記憶部は、各第２仕様情報を記憶している。
【０００８】
この空調システムでは、第１記憶部は、第１仕様情報を記憶している。第１演算部は、各室内機の運転状態の情報と第１仕様情報とを受け取ることができる。第１演算部は、各室内機の運転状態と第１仕様情報とに基づいて、室外供給熱量を演算する。第２記憶部は、第２仕様情報を記憶している。第１決定部は、室外供給熱量の情報と各第２仕様情報とを受け取ることできる。第１決定部は、室外供給熱量と各第２仕様情報とに基づいて、対象空間における室内機の稼働台数を決定する。制御部は、室内機の稼働台数の情報を受け取ることができる。制御部は、第１決定部が決定した稼働台数に基づいて、対象空間における室内機の稼働台数を制御する。
【０００９】
このように、室外供給熱量と第２仕様情報とに基づいて室内機の稼働台数が決定され、その稼働台数に基づいて対象空間における室内機の稼働台数を制御部が制御するので、室外供給熱量に対して室内機の稼働台数を必要最低限なものとすることができる。このため、消費エネルギーを十分に低減することができる。
第３発明に係る空調システムは、第２発明の空調システムであって、室内機の運転状態は、１以上の室外機の消費電力量を室内機に割り当てた値、１以上の室外機の運転能力を室内機に割り当てた値、１以上の室外機の圧縮機の運転周波数を室内機に割り当てた値、及び室内機の空調負荷の少なくとも１つである。
【００１０】
この空調システムでは、室内機の運転状態は、１以上の室外機の消費電力量を室内機に割り当てた値、１以上の室外機の運転能力を室内機に割り当てた値、１以上の室外機の圧縮機の運転周波数を室内機に割り当てた値、及び室内機の空調負荷の少なくとも１つである。
このように、室内機の運転状態を詳細な情報とすることができるので、対象空間における室内機の稼働台数を詳細に制御することができる。
【００１１】
第４発明に係る空調システムは、第２発明又は第３発明の空調システムであって、第１決定部は、第１期間ごとに、対象空間における室内機の稼働台数を決定する。
この空調システムでは、第１決定部は、第１期間が経過したことに基づいた情報を受け取ることができる。第１決定部は、第１期間ごとに、対象空間における室内機の稼働台数を決定する。
【００１２】
このように、第１期間ごとに対象空間における室内機の稼働台数を第１決定部が決定するので、室内機の運転状態が変化した場合でも、必要以上の台数の室内機が稼働されることを低減することができる。
第５発明に係る空調システムは、第１発明から第４発明のいずれかの空調システムであって、第２仕様情報は、定格容量に関する情報を含む。第１決定部は、対象空間において稼働する室内機について定格容量を合計した値が室外供給熱量に１より大きい係数をかけた値以上になるように、対象空間における室内機の稼働台数を決定する。
【００１３】
この空調システムでは、第２仕様情報は、定格容量に関する情報を含む。第１決定部は、対象空間において稼働する室内機について定格容量を合計した値が室外供給熱量に１より大きい係数をかけた値以上になるように、対象空間における室内機の稼働台数を決定する。
このように、対象空間において稼働する室内機について定格容量を合計した値が室外供給熱量に１より大きい係数をかけた値以上になるように、室内機の稼働台数を第１決定部が決定するので、室外供給熱量に対して室内機の稼働台数を必要最低限なものとすることができる。
【００１４】
第６発明に係る空調システムは、第１発明から第５発明のいずれかの空調システムであって、第１決定部は、室内機の優先順位を考慮して、対象空間において停止する室内機を決定する。
この空調システムでは、第１決定部は、室内機の優先順位に関する情報を受け取ることができる。第１決定部は、室内機の優先順位を考慮して、対象空間において停止する室内機を決定する。
【００１５】
このように、室内機の優先順位を考慮して、停止する室内機を第１決定部が決定するので、室内機の用途や設置位置を考慮して室内機を停止することができる。あるいは、第２仕様情報が室内機ごとに異なる場合でも、停止する室内機を第１決定部が決定することができる。
第７発明に係る空調システムは、第２発明から第６発明のいずれかの空調システムであって、第２決定部をさらに備える。第２決定部は、各室内機の運転状態と稼働台数の実績とに基づいて、対象空間における室内機の稼働台数を決定する。
【００１６】
この空調システムでは、第２決定部は、各室内機の運転状態の情報と稼働台数の実績とを受け取ることができる。第２決定部は、各室内機の運転状態と稼働台数の実績とに基づいて、対象空間における室内機の稼働台数を決定する。
このように、室内機の運転状態と稼働台数の実績とに基づいて対象空間における室内機の稼働台数を第２決定部が決定するので、室内機の稼働台数を容易に決定することができる。
【００１７】
第８発明に係る空調システムは、第２発明から第７発明のいずれかの空調システムであって、要望入力部と第２演算部とをさらに備える。要望入力部は、対象空間の空調環境に関する要望を受ける。第２演算部は、少なくとも要望に基づいて、各室内機の運転状態を演算する。
この空調システムでは、要望入力部は、対象空間の空調環境に関する要望を受ける。第２演算部は、要望の情報を受け取ることができる。第２演算部は、少なくとも要望に基づいて、各室内機の運転状態を演算する。
【００１８】
このように、少なくとも要望に基づいて第２演算部が各室内機の運転状態を演算するので、要望に適した空調環境を提供することができる。このため、快適性を維持することができる。
第９発明に係る空調システムは、第８発明の空調システムであって、第２演算部は、要望と気象情報とに基づいて、各室内機の運転状態を演算する。
【００１９】
この空調システムでは、第２演算部は、要望の情報と気象情報とを受け取ることができる。第２演算部は、要望と気象情報とに基づいて、各室内機の運転状態を演算する。
このように、要望と気象情報とに基づいて各室内機の運転状態を演算するので、気象により各室内機の運転状態が変化する場合でも、要望に適した空調環境を提供することができる。
【００２０】
第１０発明に係る空調システムは、第２発明から第９発明のいずれかの空調システムであって、表示部をさらに備える。表示部は、対象空間において稼働する室内機について室内機の運転状態を合計した値と稼働台数との相関関係を表示する。
この空調システムでは、表示部は、室内機の運転状態の情報と稼働台数の情報とを受け取ることができる。表示部は、対象空間において稼働する室内機について室内機の運転状態を合計した値と稼働台数との相関関係を表示する。
【００２１】
このように、対象空間において稼働する室内機について室内機の運転状態を合計した値と稼働台数との相関関係を表示部が表示するので、必要以上の台数の室内機が稼働されることが低減できていることを確認することができる。
第１１発明に係る空調システムは、第２発明から第１０発明のいずれかの空調システムであって、室内機は、熱交換部と送風部と開閉部とを有する。熱交換部は、対象空間の空気と熱交換する。送風部は、熱交換部が熱交換した空調空気を対象空間へ送り出す。開閉部は、室外機から熱交換部への冷媒の供給を遮断することが可能である。制御部は、第１状態と第２状態と第３状態とのいずれかに各室内機を切り替える。第１状態では、送風部が稼働しており、開閉部が開状態である。第２状態では、送風部が稼働しており、開閉部が閉状態である。第３状態では、送風部が停止しており、開閉部が閉状態である。稼働台数は、第１状態及び第２状態のいずれかである室内機の台数である。
【００２２】
この空調システムでは、制御部は、第１決定部が決定した稼働台数に基づいて、対象空間における室内機の稼働台数を制御する。ここで、稼働台数は、第１状態及び第２状態のいずれかである台数である。制御部は、第１状態と第２状態と第３状態とのいずれかに各室内機を切り替える。
このように、第１決定部が決定した稼働台数に基づいて、対象空間において第１状態及び第２状態のいずれかとなる室内機の台数を制御部が切り替えるので、必要以上の台数の室内機において送風部が稼働されることを低減することができる。このため、消費エネルギーを十分に低減することができる。
【００２３】
第１２発明に係る制御方法は、空調装置の制御方法であって、第１ステップと第２ステップと第３ステップと第４ステップと第５ステップと備える。空調装置は、１以上の室外機と複数の室内機とを有する。複数の室内機は、同一の対象空間に配備される。第１ステップでは、第１仕様情報が記憶される。第１仕様情報は、１以上の室外機の仕様に関する情報である。第２ステップでは、各室内機の運転状態と第１仕様情報とに基づいて、室外供給熱量が演算される。室外供給熱量は、室外機が対象空間へ供給する熱量である。第３ステップでは、第２仕様情報が記憶される。第２仕様情報は、各室内機の仕様に関する情報である。第４ステップでは、室外供給熱量と各第２仕様情報とに基づいて、対象空間における室内機の稼働台数が決定される。第５ステップでは、第４ステップで決定された稼働台数に基づいて、対象空間における室内機の稼働台数が制御される。
【００２４】
この制御方法では、第１ステップにおいて、第１仕様情報が記憶される。第２ステップにおいて、各室内機の運転状態の情報と第１仕様情報とが受け取られ得る。第２ステップにおいて、各室内機の運転状態と第１仕様情報とに基づいて、室外供給熱量が演算される。第３ステップにおいて、第２仕様情報が記憶される。第４ステップにおいて、室外供給熱量の情報と各第２仕様情報とが受け取られ得る。第４ステップにおいて、室外供給熱量と各第２仕様情報とに基づいて、対象空間における室内機の稼働台数が決定される。第５ステップにおいて、室内機の稼働台数の情報が受け取られ得る。第５ステップにおいて、第４ステップで決定された稼働台数の情報に基づいて、対象空間における室内機の稼働台数が制御される。
【００２５】
このように、室外供給熱量と第２仕様情報とに基づいて室内機の稼働台数が決定され、その稼働台数に基づいて対象空間における室内機の稼働台数が制御されるので、室外供給熱量に対して室内機の稼働台数を必要最低限なものとすることができる。このため、消費エネルギーを十分に低減することができる。
【発明の効果】
【００２６】
第１発明に係る空調システムでは、室外供給熱量と第２仕様情報とに基づいて室内機の稼働台数が決定され、その稼働台数に基づいて対象空間における室内機の稼働台数を制御部が制御するので、室外供給熱量に対して室内機の稼働台数を必要最低限なものとすることができる。このため、消費エネルギーを十分に低減することができる。
第２発明に係る空調システムでは、室外供給熱量と第２仕様情報とに基づいて室内機の稼働台数が決定され、その稼働台数に基づいて対象空間における室内機の稼働台数を制御部が制御するので、室外供給熱量に対して室内機の稼働台数を必要最低限なものとすることができる。このため、消費エネルギーを十分に低減することができる。
【００２７】
第３発明に係る空調システムでは、室内機の運転状態を詳細な情報とすることができるので、対象空間における室内機の稼働台数を詳細に制御することができる。
第４発明に係る空調システムでは、第１期間ごとに対象空間における室内機の稼働台数を第１決定部が決定するので、室内機の運転状態が変化した場合でも、必要以上の台数の室内機が稼働されることを低減することができる。
【００２８】
第５発明に係る空調システムでは、対象空間において稼働する室内機について定格容量を合計した値が室外供給熱量に１より大きい係数をかけた値以上になるように、室内機の稼働台数を第１決定部が決定するので、室外供給熱量に対して室内機の稼働台数を必要最低限なものとすることができる。
第６発明に係る空調システムでは、室内機の優先順位を考慮して、停止する室内機を第１決定部が決定するので、室内機の用途や設置位置を考慮して室内機を停止することができる。あるいは、第２仕様情報が室内機ごとに異なる場合でも、停止する室内機を第１決定部が決定することができる。
【００２９】
第７発明に係る空調システムでは、室内機の運転状態と稼働台数の実績とに基づいて対象空間における室内機の稼働台数を第２決定部が決定するので、室内機の稼働台数を容易に決定することができる。
第８発明に係る空調システムでは、少なくとも要望に基づいて第２演算部が各室内機の運転状態を演算するので、要望に適した空調環境を提供することができる。このため、快適性を維持することができる。
【００３０】
第９発明に係る空調システムでは、要望と気象情報とに基づいて各室内機の運転状態を演算するので、気象により各室内機の運転状態が変化する場合でも、要望に適した空調環境を提供することができる。
第１０発明に係る空調システムでは、対象空間において稼働する室内機について室内機の運転状態を合計した値と稼働台数との相関関係を表示部が表示するので、必要以上の台数の室内機が稼働されることが低減できていることを確認することができる。
【００３１】
第１１発明に係る空調システムでは、第１決定部が決定した稼働台数に基づいて、対象空間において第１状態及び第２状態のいずれかとなる室内機の台数を制御部が切り替えるので、必要以上の台数の室内機において送風部が稼働されることを低減することができる。このため、消費エネルギーを十分に低減することができる。
第１２発明に係る制御方法では、室外供給熱量と第２仕様情報とに基づいて室内機の稼働台数が決定され、その稼働台数に基づいて対象空間における室内機の稼働台数が制御されるので、室外供給熱量に対して室内機の稼働台数を必要最低限なものとすることができる。このため、消費エネルギーを十分に低減することができる。
【発明を実施するための最良の形態】
【００３２】
＜実施形態＞
図１に、本発明の実施形態にかかる空調システム１の構成図を示す。また、本発明の実施形態にかかる空調システム１の構成要素の構成図を図２，図３に示す。
（空調システムの概略構成）
空調システム１は、主として管理装置２０、空調設備群６０（６０ａ，６０ｂ，・・・）、第１ネットワーク１０、第２ネットワーク５０及び電力供給設備群７０（７１，７２，７３）を備える。
【００３３】
管理装置２０と電力供給設備群７０（７１，７２，７３）とは第１ネットワーク１０で接続されている。管理装置２０と空調設備群６０（６０ａ，６０ｂ，・・・）とは第２ネットワーク５０で接続されている。
（空調機群の構成及び動作）
空調設備群６０（６０ａ，６０ｂ，・・・）は、主として室内機群（６２ａ，６３ａ，６４ａ，・・・，６２ｂ，６３ｂ，６４ｂ，・・・）と室外機群６１（６１ａ，６１ｂ，・・・）とリモコン群（３５ａ，３５ｂ，・・・）とを備える。
【００３４】
室内機群（６２ａ，６３ａ，６４ａ，・・・，６２ｂ，６３ｂ，６４ｂ，・・・）と室外機群６１（６１ａ，６１ｂ，・・・）とリモコン群（３５ａ，３５ｂ，・・・）とは、第２ネットワーク５０で互いに接続されている。空調設備６０ａの室内機群（６２ａ，６３ａ，６４ａ，・・・）は部屋ＲＭ１に配備されている。空調設備６０ｂの室内機群（６２ｂ，６３ｂ，６４ｂ，・・・）は部屋ＲＭ２に配備されている。・・・
リモコン群（３５ａ，３５ｂ，・・・）には、部屋ＲＭ１，ＲＭ２，・・・の空調環境に関する要望の情報が入力される。ここで、空調環境に関する要望の情報は、運転モード・設定温度などの情報である。要望の情報は、第２ネットワーク５０経由で管理装置２０へ送信される。
【００３５】
室内機群（６２ａ，６３ａ，６４ａ，・・・，６２ｂ，６３ｂ，６４ｂ，・・・）は、運転及び停止状態値・吸い込み温度の情報を収集し、第２ネットワーク５０経由で管理装置２０へ送信する。室外機群６１（６１ａ，６１ｂ，・・・）は、主として電流計群４０（４０ａ，４０ｂ，・・・）と電動式圧縮機群４１（４１ａ，４１ｂ，・・・）とを備える。各室外機６１ａ，６１ｂ，・・・は、電動式圧縮機４１ａ，４１ｂ，・・・など使用した使用電力量を電流計４０ａ，４０ｂ，・・・で検出する。室外機６１ａ，６１ｂ，・・・の使用電力量の情報は、第２ネットワーク５０経由で室外機６１ａ，６１ｂ，・・・から管理装置２０へ送信される。
【００３６】
（冷媒回路の構成及び動作）
室内機６２ａは、図３に示すように、主として、室内熱交換器６２ａａ、ファン６２ａｂ及び膨張弁６２ａｃを備える。室外機６１ａは、主として、圧縮機６１ａａ，四路切替弁６１ａｂ，室外熱交換器６１ａｃ，ファン６１ａｄ及び膨張弁６１ａｅを備える。
冷房運転（四路切替弁６１ａｂが実線の状態）では、圧縮機６１ａａで圧縮された冷媒が室外熱交換器６１ａｃで凝縮され膨張弁６１ａｅで減圧される。
【００３７】
膨張弁６２ａｃが開状態（室内機６２ａが通常稼働状態）である場合、膨張弁６１ａｅで減圧された冷媒は、室内熱交換器６２ａａで蒸発し部屋ＲＭ１の空気から熱を奪う。そして、熱を奪われた空調空気は、ファン６２ａｂの稼働により部屋ＲＭ１へ送り出される。これにより、部屋ＲＭ１の空気が冷房される。
一方、膨張弁６２ａｃが閉状態である場合、膨張弁６１ａｅで減圧された冷媒は、室内熱交換器６２ａａへ供給されず、部屋ＲＭ１の空気と熱交換が行われない。すなわち、膨張弁６２ａｃは、室外機６１ａから室内機６２ａへの冷媒の供給を遮断している。このとき、室内機６２ａがサーモオフ状態であればファン６２ａｂは稼働したままであり、室内機６２ａが完全停止状態であればファン６２ａｂは停止している。
【００３８】
暖房運転（四路切替弁６１ａｂが破線の状態）では、圧縮機６１ａａで圧縮された冷媒が室内機６２ａへと向かう。
膨張弁６２ａｃが開状態（室内機６２ａが通常稼働状態）である場合、圧縮機６１ａａで圧縮された冷媒は、室内熱交換器６２ａａで凝縮され部屋ＲＭ１の空気へ熱を与える。そして、熱を与えられた空調空気は、ファン６２ａｂの稼働により部屋ＲＭ１へ送り出される。これにより、部屋ＲＭ１の空気が暖房される。さらに、室内熱交換器６２ａａで凝縮された冷媒は、膨張弁６２ａｃ及び膨張弁６１ａｅで減圧され室外熱交換器６１ａｃで蒸発する。
【００３９】
一方、膨張弁６２ａｃが閉状態である場合、圧縮機６１ａａで圧縮された冷媒は、室内熱交換器６２ａａへ供給されず、部屋ＲＭ１の空気と熱交換が行われない。すなわち、膨張弁６２ａｃは、室外機６１ａから室内機６２ａへの冷媒の供給を遮断している。このとき、室内機６２ａがサーモオフ状態であればファン６２ａｂは稼働したままであり、室内機６２ａが完全停止状態であればファン６２ａｂは停止している。
【００４０】
以上より、室内機６２ａは、通常稼働状態とサーモオフ状態と完全停止状態との３つの状態を取ることが分かる。すなわち、室内機６２ａの通常稼働状態では、ファン６２ａｂが稼働し、膨張弁６２ａｃが開状態である。室内機６２ａのサーモオフ状態では、ファン６２ａｂが稼働し、膨張弁６２ａｃが閉状態である。室内機６２ａの完全停止状態では、ファン６２ａｂが停止し、膨張弁６２ａｃが閉状態である。
【００４１】
なお、他の室内機６３ａ，・・・についても、室内機６２ａと同様である。他の室外機６１ｂ，・・・についても、室外機６１ａと同様である。
（管理装置の構成及び動作）
管理装置２０は、図２に示すように、主として、第１送受信部２１，制御部２２，第１演算部２３，第２演算部２４，第１決定部２５，第１記憶部２６，第２記憶部２７，第２送受信部２８及び入力部２９を備える。
【００４２】
（（初期動作））
入力部２９には、第１仕様情報が入力される。ここで、第１仕様情報は、室外機６１ａの仕様に関する情報であり、室外機６１ａの定格容量の情報及び室外機６１ａの定格消費電力の情報などである。第１記憶部２６は、第１仕様情報を制御部２２経由で入力部２９から受け取る。第１記憶部２６は、第１仕様情報を記憶する。
【００４３】
入力部２９には、第２仕様情報が入力される。ここで、第２仕様情報は、各室内機６２ａ，６３ａ，６４ａ，・・・の仕様に関する情報であり、各室内機６２ａ，・・・の定格容量の情報などである。第２記憶部２７は、第２仕様情報を制御部２２経由で入力部２９から受け取る。第２記憶部２７は、第２仕様情報を記憶する。
（（通常動作））
第１送受信部２１は、部屋ＲＭ１の空調環境に関する要望の情報を第２ネットワーク５０経由でリモコン３５ａから受信する。制御部２２は、要望の情報を第１送受信部２１から受け取り第２演算部２４へ渡す。第１送受信部２１は、室外機６１ａ，６１ｂ，・・・の使用電力量の情報を第２ネットワーク５０経由で室外機６１ａ，６１ｂ，・・・から受信する。制御部２２は、室外機６１ａ，６１ｂ，・・・の使用電力量の情報を第１送受信部２１から受け取り第２演算部２４へ渡す。第２送受信部２８は、空調設備群６０（６０ａ，・・・）の総消費電力量の情報を第１ネットワーク１０経由で電力量計７２から受信する。制御部２２は、空調設備群６０（６０ａ，・・・）の総消費電力量の情報を第２送受信部２８から受け取り第２演算部２４へ渡す。第２演算部２４は、室外機６１ａ，６１ｂ，・・・の使用電力量と空調設備群６０（６０ａ，・・・）の総消費電力量と要望とに基づいて、各室内機６２ａ，・・・の運転状態を演算する。ここで、室内機６２ａ，・・・の運転状態は、室外機６１ａの消費電力量を室内機６２ａ，・・・に割り当てた値、すなわち室内機６２ａ，・・・の電力量按分値である。
【００４４】
第１演算部２３は、各室内機６２ａ，・・・の運転状態の情報を制御部２２経由で第２演算部２４から受け取る。第１演算部２３は、第１仕様情報を制御部２２経由で第１記憶部２６から受け取る。第１演算部２３は、各室内機６２ａ，・・・の運転状態と第１仕様情報とに基づいて、室外供給熱量を演算する。ここで、室外供給熱量は、室外機６１ａが部屋ＲＭ１へ供給する熱量である。
【００４５】
第１決定部２５は、室外供給熱量の情報を制御部２２経由で第１演算部２３から受け取る。第１決定部２５は、各第２仕様情報を制御部２２経由で第２記憶部２７から受け取る。第１決定部２５は、室外供給熱量と各第２仕様情報とに基づいて、部屋ＲＭ１における室内機６２ａ，・・・の稼働台数を決定する。ここで、稼働台数は、通常稼働状態及びサーモオフ状態のいずれかである室内機６２ａ，・・・の台数である。第１決定部２５は、部屋ＲＭ１において稼働する室内機６２ａ，・・・について定格容量を合計した値が室外供給熱量に１より大きい係数をかけた値以上になるように、部屋ＲＭ１における室内機６２ａ，・・・の稼働台数を決定する。
【００４６】
制御部２２は、各室内機６２ａ，・・・の運転状態に基づいた情報、すなわち室内機６２ａ，・・・の稼働台数の情報を第１決定部２５から受け取る。制御部２２は、第１決定部２５が決定した稼働台数の情報に基づいて、部屋ＲＭ１における室内機６２ａ，・・・の稼働台数を制御する。すなわち、制御部２２は、各室内機６２ａ，・・・の運転状態に基づいて、通常稼働状態とサーモオフ状態と完全停止状態とのいずれかに各室内機６２ａ，・・・を切り替える。
【００４７】
制御部２２は、第１期間（例えば、１時間）が経過した旨の情報をタイマ（図示せず）から受け取る。そして、上記の通常動作が再び行われる。これにより、通常動作は、第１期間ごとに繰り返される。
なお、管理装置２０が部屋ＲＭ１の室内機６２ａ，・・・を管理する場合の動作を説明したが、他の部屋ＲＭ２，・・・を管理する場合の動作も同様である。
【００４８】
（電力供給設備群の構成及び動作）
電力供給設備群７０（７１，７２，７３）は、主として電源７１と電力量計７２と電力供給線群７３（７３ａ，７３ｂ，・・・）とを備える。
電源７１は、電力量計７２と電力供給線群７３（７３ａ，７３ｂ，・・・）とを経由して、空調設備群６０（６０ａ，６０ｂ，・・・）の室外機群６１（６１ａ，６１ｂ，・・・）へ電力を供給する。電力量計７２は、空調設備群６０（６０ａ，６０ｂ，・・・）の総消費電力量を計測する。電力量計７２は、空調設備群６０（６０ａ，６０ｂ，・・・）の総消費電力量の情報を、第１ネットワーク１０経由で管理装置２０へ送信する。
【００４９】
（空調システムが空調設備群を制御する処理の流れ）
空調システム１が空調設備群６０（６０ａ，６０ｂ，・・・）を制御する処理の流れを、図４に示すフローチャートを用いて説明する。なお、空調システム１が空調設備６０ａを制御する場合について説明するが、空調システム１が他の空調設備６０ｂ，・・・を制御する場合についても同様である。
【００５０】
ステップＳ１では、第１仕様情報が記憶される。すなわち、管理装置２０の入力部２９には、第１仕様情報が入力される。ここで、第１仕様情報は、室外機６１ａの仕様に関する情報であり、室外機６１ａの定格容量の情報及び室外機６１ａの定格消費電力の情報などである。第１記憶部２６は、第１仕様情報を制御部２２経由で入力部２９から受け取る。第１記憶部２６は、第１仕様情報を記憶する。
【００５１】
ステップＳ２では、第２仕様情報が記憶される。すなわち、管理装置２０の入力部２９には、第２仕様情報が入力される。ここで、第２仕様情報は、各室内機６２ａ，・・・の仕様に関する情報であり、各室内機６２ａ，・・・の定格容量の情報などである。第２記憶部２７は、第２仕様情報を制御部２２経由で入力部２９から受け取る。第２記憶部２７は、第２仕様情報を記憶する。
【００５２】
ステップＳ３では、要望があるか否かが判断される。要望があると判断される場合にステップＳ４へ進められ、要望がないと判断される場合にステップＳ５へ進められる。
ステップＳ４では、要望が入力される。すなわち、リモコン群３５ａには、部屋ＲＭ１の空調環境に関する要望の情報が入力される。ここで、空調環境に関する要望の情報は、運転モード・設定温度などの情報である。要望の情報は、第２ネットワーク５０経由で管理装置２０へ送信される。また、室外機６１ａ，６１ｂ，・・・の使用電力量の情報は、第２ネットワーク５０経由で室外機６１ａ，６１ｂ，・・・から管理装置２０へ送信される。さらに、電力量計７２は、空調設備群６０（６０ａ，６０ｂ，・・・）の総消費電力量の情報を、第１ネットワーク１０経由で管理装置２０へ送信する。
【００５３】
ステップＳ５では、室内機の運転状態が演算される。すなわち、管理装置２０の第１送受信部２１は、部屋ＲＭ１の空調環境に関する要望の情報を第２ネットワーク５０経由でリモコン３５ａから受信する。制御部２２は、要望の情報を第１送受信部２１から受け取り第２演算部２４へ渡す。第１送受信部２１は、室外機６１ａ，６１ｂ，・・・の使用電力量の情報を第２ネットワーク５０経由で室外機６１ａ，６１ｂ，・・・から受信する。制御部２２は、室外機６１ａ，６１ｂ，・・・の使用電力量の情報を第１送受信部２１から受け取り第２演算部２４へ渡す。第２送受信部２８は、空調設備群６０（６０ａ，・・・）の総消費電力量の情報を第１ネットワーク１０経由で電力量計７２から受信する。制御部２２は、空調設備群６０（６０ａ，・・・）の総消費電力量の情報を第２送受信部２８から受け取り第２演算部２４へ渡す。第２演算部２４は、室外機６１ａ，６１ｂ，・・・の使用電力量と空調設備群６０（６０ａ，・・・）の総消費電力量と要望とに基づいて、各室内機６２ａ，・・・の運転状態を演算する。ここで、室内機６２ａ，・・・の運転状態は、室外機６１ａの消費電力量を室内機６２ａ，・・・に割り当てた値、すなわち室内機６２ａ，・・・の電力量按分値である。
【００５４】
ステップＳ６では、室外供給熱量が演算される。すなわち、管理装置２０の第１演算部２３は、各室内機６２ａ，・・・の運転状態の情報を制御部２２経由で第２演算部２４から受け取る。第１演算部２３は、第１仕様情報を制御部２２経由で第１記憶部２６から受け取る。第１演算部２３は、各室内機６２ａ，・・・の運転状態と第１仕様情報とに基づいて、室外供給熱量を演算する。ここで、室外供給熱量は、室外機６１ａが部屋ＲＭ１へ供給する熱量である。
【００５５】
ステップＳ７では、稼働台数が決定される。すなわち、管理装置２０の第１決定部２５は、室外供給熱量の情報を制御部２２経由で第１演算部２３から受け取る。第１決定部２５は、各第２仕様情報を制御部２２経由で第２記憶部２７から受け取る。第１決定部２５は、室外供給熱量と各第２仕様情報とに基づいて、部屋ＲＭ１における室内機６２ａ，・・・の稼働台数を決定する。ここで、稼働台数は、通常稼働状態及びサーモオフ状態のいずれかである室内機６２ａ，・・・の台数である。第１決定部２５は、部屋ＲＭ１において稼働する室内機６２ａ，・・・について定格容量を合計した値が室外供給熱量に１より大きい係数をかけた値以上になるように、部屋ＲＭ１における室内機６２ａ，・・・の稼働台数を決定する。
【００５６】
ステップＳ８では、稼働台数が制御される。すなわち、管理装置２０の制御部２２は、各室内機６２ａ，・・・の運転状態に基づいた情報、つまり室内機６２ａ，・・・の稼働台数の情報を第１決定部２５から受け取る。制御部２２は、第１決定部２５が決定した稼働台数の情報に基づいて、部屋ＲＭ１における室内機６２ａ，・・・の稼働台数を制御する。すなわち、制御部２２は、各室内機６２ａ，・・・の運転状態に基づいて、通常稼働状態とサーモオフ状態と完全停止状態とのいずれかに各室内機６２ａ，・・・を切り替える。
【００５７】
ステップＳ９では、第１期間（例えば、１時間）が経過したか否かが判断される。すなわち、制御部２２は、第１期間が経過した旨の情報をタイマ（図示せず）から受け取った場合に、第１期間が経過したと判断する。制御部２２は、第１期間が経過した旨の情報をタイマ（図示せず）から受け取らない場合に、第１期間が経過していないと判断する。第１期間が経過したと判断された場合、ステップＳ３へ進められ、第１期間が経過していないと判断された場合、ステップＳ９へ進められる。
【００５８】
（空調設備群の室内機の空調負荷量の演算方法）
空調設備群６０（６０ａ，６０ｂ，・・・）の室内機６２ａ，・・・の空調負荷量の演算方法を、図５に示す概念図を用いて説明する。なお、この演算は管理装置２０の第２演算部２４において行われる。
図５には、空調設備６０ａの室内機群（６２ａ，６３ａ，６４ａ，・・・）が部屋ＲＭ１に設置される様子が示されている。空調設備６０ａの室内機６２ａ，６３ａ，６４ａ，・・・から部屋ＲＭ１へ単位時間あたりに供給される熱量をｑａａ，ｑａｂ，ｑａｃ，・・・とする。空調設備６０ａの室内機６２ａ，６３ａ，６４ａ，・・・から吹き出される空気の風速をＶａａ，Ｖａｂ，Ｖａｃ，・・・とする。空調設備６０ａの室内機６２ａ，６３ａ，６４ａ，・・・の吹き出し口の面積をＡａａ，Ａａｂ，Ａａｃ，・・・とする。空調設備６０ａの室内機６２ａ，６３ａ，６４ａ，・・・の設定温度をｔａａ，ｔａｂ，ｔａｃ，・・・とする。ここで、設定温度とは、リモコン３５ａに入力された温度である。空調設備６０ａの室内機６２ａ，６３ａ，６４ａ，・・・の吸い込み温度をＴａａ，Ｔａｂ，Ｔａｃ，・・・とする。ここで、吸い込み温度とは、室内機６２ａ，６３ａ，６４ａ，・・・の吸い込み口付近に備えられた吸い込み空気温度センサ９２ａ，９３ａ，９４ａ，・・・により取得された温度である。例えば、ｑａａは、
ｑａａ＝Ｖａａ×Ａａａ×（ｔａａ−Ｔａａ）×Ｋａ                ・・・（式１）
の式により計算される。ここで、Ｋａは係数である。ｑａｂ，ｑａｃ，・・・も式１と同様に計算される。
【００５９】
次に、空調設備６０ａの室内機６２ａ，６３ａ，６４ａ，・・・の空調負荷量をＳａａ，Ｓａｂ，Ｓａｃ，・・・とする。空調設備６０ａの室内機６２ａ，６３ａ，６４ａ，・・・の吹き出し延べ時間をｈａａ，ｈａｂ，ｈａｃ，・・・とする。例えば、Ｓａａは、
Ｓａａ＝ｑａａ×ｈａａ                                          ・・・（式２）
の式により計算される。Ｓａｂ，Ｓａｃ，・・・も式２と同様に計算される。
【００６０】
他の空調設備６０ｂ，・・・の空調負荷量Ｓｂａ，Ｓｂｂ，Ｓｂｃ，・・・も式１や式２と同様にして計算される。
なお、図１に示す空調設備群６０（６０ａ，６０ｂ，・・・）の室内機６２ａ，・・・の空調負荷量Ｓａａ，Ｓａｂ，Ｓａｃ，・・・，Ｓｂａ，Ｓｂｂ，Ｓｂｃ，・・・は、室外機６１ａ，６１ｂ，・・・が室内機６２ａ，・・・へ供給する冷媒の量を決める目安とされる。
【００６１】
（室内機の運転状態の演算方法）
室内機６２ａ，・・・の運転状態、すなわち室内機６２ａ，・・・の電力量按分値の演算方法を、以下に説明する。なお、この演算は管理装置２０の第２演算部２４において行われる。
空調設備群６０（６０ａ，６０ｂ，・・・）の室外機６１ａ，６１ｂ，・・・の使用電力量をｐａ，ｐｂ，・・・とする。空調設備群６０（６０ａ，６０ｂ，・・・）の総消費電力量をＰとする。空調設備６０ａ，６０ｂ，・・・ごとの消費電力量をＰａ，Ｐｂ，・・・とする。例えば、Ｐａは、
Ｐａ＝Ｐ×ｐａ／（ｐａ＋ｐｂ＋・・・）                          ・・・（式３）
の式により計算される。Ｐｂ，・・・も式３と同様に計算される。
【００６２】
次に、空調設備群６０（６０ａ，６０ｂ，・・・）の室内機６２ａ，・・・について、運転時間をＨａａ，Ｈａｂ，Ｈａｃ，・・・，Ｈｂａ，Ｈｂｂ，Ｈｂｃ，・・・とし、吸い込み温度をＴａａ，Ｔａｂ，Ｔａｃ，・・・，Ｔｂａ，Ｔｂｂ，Ｔｂｃ，・・・とし、運転モードをＭａａ，Ｍａｂ，Ｍａｃ，・・・，Ｍｂａ，Ｍｂｂ，Ｍｂｃ，・・・とし、空調負荷量をＳａａ，Ｓａｂ，Ｓａｃ，・・・，Ｓｂａ，Ｓｂｂ，Ｓｂｃ，・・・とする。室内機６２ａ，・・・ごとの仮消費電力量をＢａａ，Ｂａｂ，Ｂａｃ，・・・，Ｂｂａ，Ｂｂｂ，Ｂｂｃ，・・・とする。
【００６３】
例えば、Ｂａａは、
Ｍａａ＝冷房運転
のとき、
Ｂａａ＝ｗｃ２ａ×（−Ｋｂ＋Ｋｃ×Ｔａａ）×（Ｓａａ／１０）×Ｈａａ
・・・（式４）
の式により計算される。ここで、ｗｃ２ａは室内機６２ａの冷房時の定格消費電力であり、ＫｂとＫｃとは室内機６２ａの機種により決められる冷房係数である。ｗｃ２ａとＫｂとＫｃとは、第２仕様情報として管理装置２０の第２記憶部２７に記憶されており、室内機６２ａ，・・・ごとの電力量按分値が第２演算部２４で計算される際に参照される。Ｂａｂ，Ｂａｃ，・・・，Ｂｂａ，Ｂｂｂ，Ｂｂｃ，・・・も式４と同様に計算される。
【００６４】
例えば、Ｂａａは、
Ｍａａ＝暖房運転
のとき、
Ｂａａ＝ｗｈ２ａ×（Ｋｄ−Ｋｅ×Ｔａａ）×（Ｓａａ／１０）×Ｈａａ
・・・（式５）
の式により計算される。ここで、ｗｈ２ａは室内機６２ａの暖房時の定格消費電力であり、ＫｄとＫｅとは室内機６２ａの機種により決められる暖房係数である。ｗｈ２ａとＫｄとＫｅとは、第２仕様情報として管理装置２０の第２記憶部２７に記憶されており、室内機６２ａ，・・・ごとの電力量按分値が第２演算部２４で計算される際に参照される。Ｂａｂ，Ｂａｃ，・・・，Ｂｂａ，Ｂｂｂ，Ｂｂｃ，・・・も式５と同様に計算される。
【００６５】
式４，式５の次に、室内機６２ａ，・・・ごとの電力量按分値を、Ｐａａ，Ｐａｂ，Ｐａｃ，・・・，Ｐｂａ，Ｐｂｂ，Ｐｂｃ，・・・とする。例えば、Ｐａａは、
Ｐａａ＝Ｐａ×Ｂａａ／（Ｂａａ＋Ｂａｂ＋・・・）                ・・・（式６）
の式により計算される。ここで、Ｐａは式３のＰａと同じである。Ｐａｂ，Ｐａｃ，・・・，Ｐｂａ，Ｐｂｂ，Ｐｂｃ，・・・も式６と同様に計算される。
【００６６】
（室外供給熱量の演算方法）
室外供給熱量の演算方法を以下に説明する。なお、この演算は管理装置２０の第１演算部２３において行われる。
部屋ＲＭ１，ＲＭ２，・・・へ室外機６１ａ，６１ｂ，・・・が第１期間において供給した熱量、すなわち室外機６１ａ，６１ｂ，・・・の室外供給熱量をＱａ，Ｑｂ，・・・とする。室外機６１ａ，・・・の冷房時の定格容量をＱＣａとする。室外機６１ａ，・・・の暖房時の定格容量をＱＨａとする。室外機６１ａ，・・・の冷房時の定格消費電力をＷＣａとする。室外機６１ａ，・・・の暖房時の定格消費電力をＷＨａとする。第１期間をＴＳとする。
【００６７】
例えば、Ｑａは、
Ｍａａ＝冷房運転
のとき、
Ｑａ＝｛（Ｐａａ＋Ｐａｂ＋Ｐａｃ＋・・・）×ＱＣａ｝／（ＴＳ×ＷＣａ）
・・・（式７）
の式により計算される。ここで、Ｐａａ，・・・は、式６により又は式６と同様の式により計算されたものである。Ｑｂ，・・・も式７と同様に計算される。
【００６８】
例えば、Ｑａは、
Ｍａａ＝暖房運転
のとき、
Ｑａ＝｛（Ｐａａ＋Ｐａｂ＋Ｐａｃ＋・・・）×ＱＨａ｝／（ＴＳ×ＷＨａ）
・・・（式８）
の式により計算される。ここで、Ｐａａ，・・・は、式６により又は式６と同様の式により計算されたものである。Ｑｂ，・・・も式８と同様に計算される。
【００６９】
（室内機の稼働台数の決定方法）
部屋ＲＭ１，・・・の室内機６２ａ，・・・の稼働台数の決定方法を、以下に説明する。なお、この決定は管理装置２０の第１決定部２５において行われる。
室内機６２ａ，６３ａ，・・・の冷房時の定格容量をＱｃ２ａ，Ｑｃ３ａ，・・・とする。室内機６２ａ，６３ａ，・・・の暖房時の定格容量をＱｈ２ａ，Ｑｈ３ａ，・・・とする。
【００７０】
第１決定部２５は、
Ｍａａ＝冷房運転
のとき、
Ｑａ×Ｋｆ≦（稼働する室内機６２ａ，・・・の冷房時の定格容量の合計）
・・・（式９）
を満たす室内機６２ａ，・・・の台数の最小値を、室内機６２ａ，・・・の稼働台数として決定する。ここで、Ｋｆは補正係数であり１より大きい値である。例えば、
Ｑａ×Ｋｆ＞Ｑｃ２ａ
であり
Ｑａ×Ｋｆ≦Ｑｃ２ａ＋Ｑｃ３ａ
である場合、第１決定部２５は、室内機６２ａ，・・・の稼働台数を２台に決定する。さらに、第１決定部２５は、室内機６２ａと室内機６３ａとを稼働し（通常稼働状態及びサーモオフ状態のいずれかにして）、室内機６４ａ，・・・を停止することを決定する。
【００７１】
第１決定部２５は、
Ｍａａ＝暖房運転
のとき、
Ｑａ×Ｋｇ≦（稼働する室内機６２ａ，・・・の暖房時の定格容量の合計）
・・・（式１０）
を満たす室内機６２ａ，・・・の台数の最小値を、室内機６２ａ，・・・の稼働台数として決定する。ここで、Ｋｇは補正係数であり１より大きい値である。例えば、
Ｑａ×Ｋｇ＞Ｑｈ２ａ
であり
Ｑａ×Ｋｇ≦Ｑｈ２ａ＋Ｑｈ３ａ
である場合、第１決定部２５は、室内機６２ａ，・・・の稼働台数を２台に決定する。さらに、第１決定部２５は、室内機６２ａと室内機６３ａとを稼働し室内機６４ａ，・・・を停止することを決定する。
【００７２】
（空調システム１の特徴）
（１）
ここでは、第１記憶部２６は、第１仕様情報を記憶している。第１演算部２３は、各室内機６２ａ，・・・の運転状態の情報を制御部２２経由で第２演算部２４から受け取る。第１演算部２３は、第１仕様情報を制御部２２経由で第１記憶部２６から受け取る。第１演算部２３は、各室内機６２ａ，・・・の運転状態と第１仕様情報とに基づいて、室外供給熱量Ｑａ，・・・を演算する。第２記憶部２７は、第２仕様情報を記憶している。第１決定部２５は、室外供給熱量の情報を制御部２２経由で第１演算部２３から受け取る。第１決定部２５は、各第２仕様情報を制御部２２経由で第２記憶部２７から受け取る。第１決定部２５は、室外供給熱量Ｑａ，・・・と各第２仕様情報とに基づいて、部屋ＲＭ１，・・・における室内機６２ａ，・・・の稼働台数を決定する。制御部２２は、各室内機６２ａ，・・・の運転状態に基づいた情報、すなわち室内機６２ａ，・・・の稼働台数の情報を第１決定部２５から受け取る。制御部２２は、第１決定部２５が決定した稼働台数の情報に基づいて、部屋ＲＭ１，・・・における室内機６２ａ，・・・の稼働台数を制御する。
【００７３】
このように、室外供給熱量Ｑａ，・・・と第２仕様情報とに基づいて室内機６２ａ，・・・の稼働台数が決定され、その稼働台数に基づいて部屋ＲＭ１，・・・における室内機６２ａ，・・・の稼働台数を制御部２２が制御するので、室外供給熱量Ｑａ，・・・に対して室内機６２ａ，・・・の稼働台数は必要最低限なものとなる。このため、消費エネルギーは十分に低減される。
【００７４】
（２）
ここでは、室内機６２ａ，・・・の運転状態は、１以上の室外機６１ａ，・・・の消費電力量を室内機６２ａ，・・・に割り当てた値、すなわち室内機６２ａ，・・・の電力量按分値である。
このように、室内機６２ａ，・・・の運転状態を絶対的に正確な情報とするので、部屋ＲＭ１，・・・における室内機６２ａ，・・・の稼働台数は正確に制御される。
【００７５】
（３）
ここでは、第１決定部２５は、第１期間ＴＳが経過したことに基づいた情報、すなわち（第１期間ＴＳごとに第１演算部２３により演算される）室外供給熱量Ｑａ，・・・の情報を制御部２２経由で第１演算部２３から受け取り、（第１期間ＴＳごとに制御部２２により参照される）各第２仕様情報を制御部２２経由で第２記憶部２７から受け取る。第１決定部２５は、室外供給熱量Ｑａ，・・・と各第２仕様情報とに基づいて、第１期間ＴＳごとに、部屋ＲＭ１，・・・における室内機６２ａ，・・・の稼働台数を決定する。
【００７６】
このように、第１期間ＴＳごとに部屋ＲＭ１，・・・における室内機６２ａ，・・・の稼働台数を第１決定部２５が決定するので、室内機６２ａ，・・・の運転状態が変化した場合でも、必要以上の台数の室内機６２ａ，・・・が稼働されることは低減される。
（４）
ここでは、第２仕様情報は、各室内機６２ａ，・・・の定格容量に関する情報を含む。第１決定部２５は、部屋ＲＭ１，・・・において稼働する室内機６２ａ，・・・について定格容量を合計した値が室外供給熱量Ｑａ，・・・に１より大きい係数（Ｋｆ，Ｋｇ）をかけた値以上になるように、部屋ＲＭ１，・・・における室内機６２ａ，・・・の稼働台数を決定する（式９，式１０参照）。
【００７７】
このように、部屋ＲＭ１，・・・において稼働する室内機６２ａ，・・・について定格容量を合計した値が室外供給熱量Ｑａ，・・・に１より大きい係数（Ｋｆ，Ｋｇ）をかけた値以上になるように、室内機６２ａ，・・・の稼働台数を第１決定部２５が決定するので、室外供給熱量Ｑａ，・・・に対して室内機６２ａ，・・・の稼働台数は必要最低限なものとなる。
【００７８】
（５）
ここでは、リモコン３５ａ，・・・は、部屋ＲＭ１，・・・の空調環境に関する要望を受ける。第２演算部２４は、第２ネットワーク５０と第１送受信部２１と制御部２２とを経由して、要望の情報をリモコン３５ａ，・・・から受け取る。第２演算部２４は、第２ネットワーク５０と第１送受信部２１と制御部２２とを経由して、室外機６１ａ，６１ｂ，・・・の使用電力量の情報を室外機６１ａ，６１ｂ，・・・から受け取る。第２演算部２４は、第１ネットワーク１０と第２送受信部２８と制御部２２とを経由して、空調設備群６０（６０ａ，・・・）の総消費電力量の情報を電力量計７２から受け取る。第２演算部２４は、室外機６１ａ，６１ｂ，・・・の使用電力量と空調設備群６０（６０ａ，・・・）の総消費電力量と要望とに基づいて、各室内機６２ａ，・・・の運転状態を演算する。
【００７９】
このように、室外機６１ａ，６１ｂ，・・・の使用電力量と空調設備群６０（６０ａ，・・・）の総消費電力量と要望とに基づいて第２演算部２４が各室内機６２ａ，・・・の運転状態を演算するので、提供される空調環境は要望に適したものとなる。このため、快適性は維持される。
（６）
ここでは、稼働台数は、通常稼働状態及びサーモオフ状態のいずれかである室内機６２ａ，・・・の台数である。室内機６２ａ，・・・の通常稼働状態では、ファン６２ａｂ，・・・が稼働し、膨張弁６２ａｃ，・・・が開状態である。室内機６２ａ，・・・のサーモオフ状態では、ファン６２ａｂ，・・・が稼働し、膨張弁６２ａｃ，・・・が閉状態である。制御部２２は、第１決定部２５が決定した稼働台数（通常稼働状態及びサーモオフ状態のいずれかである台数）の情報に基づいて、通常稼働状態とサーモオフ状態と完全停止状態とのいずれかに各室内機６２ａ，・・・を切り替える。なお、室内機６２ａ，・・・の完全停止状態では、ファン６２ａｂ，・・・が停止し、膨張弁６２ａｃ，・・・が閉状態である。
【００８０】
このように、第１決定部２５が決定した稼働台数に基づいて、部屋ＲＭ１，・・・において通常稼働状態及びサーモオフ状態のいずれかとなる室内機６２ａ，・・・の台数を制御部２２が切り替えるので、必要以上の台数の室内機６２ａ，・・・においてファン６２ａｂ，・・・が稼働されることが低減される。このため、消費エネルギーは十分に低減される。
【００８１】
（実施形態の変形例）
（Ａ）管理装置２０の第１決定部２５は、室内機６２ａ，・・・の優先順位を考慮して、部屋ＲＭ１，・・・において停止する室内機６２ａ，・・・を決定してもよい。この場合、入力部２９には、室内機６２ａ，・・・の優先順位があらかじめ入力される。そして、第２記憶部２７は、室内機６２ａ，・・・の優先順位の情報を制御部２２経由で入力部２９から受け取り記憶する。第１決定部２５は、第１期間ＴＳごとに制御部２２経由で第２記憶部２７を参照して、室内機６２ａ，・・・の優先順位を考慮して、部屋ＲＭ１，・・・において停止する室内機６２ａ，・・・を決定する。
【００８２】
具体的には、式９、式１０の計算が行われる際に、優先順位の高いものから順番に定格容量が合計される。例えば、部屋ＲＭ１について、室内機６４ａ，６２ａ，６３ａ，・・・の順番に優先順位が決められている場合を考える。このとき、
Ｍａａ＝冷房運転
であれば、
Ｑａ×Ｋｆ＞Ｑｃ４ａ
であり
Ｑａ×Ｋｆ≦Ｑｃ４ａ＋Ｑｃ２ａ
である場合、第１決定部２５は、室内機６２ａ，・・・の稼働台数を２台に決定する。また、第１決定部２５は、稼働する室内機を室内機６４ａと室内機６２ａとに決定し、停止する室内機を室内機６３ａ，・・・に決定する。
【００８３】
このように、室内機６２ａ，・・・の優先順位を考慮して、停止する室内機６３ａ，・・・を第１決定部２５が決定するので、室内機６２ａ，・・・の用途や設置位置などを考慮して室内機６２ａ，・・・は停止される。あるいは、第２仕様情報が室内機６２ａ，・・・ごとに異なる場合でも、停止する室内機６３ａ，・・・を第１決定部２５が決定することが可能になる。
【００８４】
また、入力部２９には、時間帯別に室内機６２ａ，・・・の優先順位が入力できるようになっていてもよい。これにより、例えば、午前と午後とで空調負荷量が変化するような場合でも、室内機６２ａ，・・・の空調負荷量に基づいた優先順位を考慮して、停止する室内機６３ａ，・・・を第１決定部２５が決定することができる。このため、快適性が維持される。
【００８５】
あるいは、室内機６２ａ，・・・の優先順位は、入力部２９にあらかじめ入力される代わりに、第１決定部２５によりローテンションされて決められてもよい。この場合でも、室内機６２ａ，・・・の優先順位を考慮して、停止する室内機６３ａ，・・・を第１決定部２５が決定するので、室内機６２ａ，・・・の用途や設置位置を考慮して室内機６２ａ，・・・は停止される。あるいは、第２仕様情報が室内機６２ａ，・・・ごとに異なる場合でも、停止する室内機６３ａ，・・・を第１決定部２５が決定することが可能になる。さらに、部屋ＲＭ１，・・・において稼働する室内機６２ａ，・・・が逐次変化するので、部屋ＲＭ１，・・・の温度ムラは低減される。
【００８６】
（Ｂ）管理装置２０の第２演算部２４は、室外機６１ａ，６１ｂ，・・・の使用電力量と空調設備群６０（６０ａ，・・・）の総消費電力量と要望と気象情報とに基づいて、各室内機６２ａ，・・・の運転状態を演算してもよい。この場合、第１送受信部２１は、第２ネットワーク５０経由で気象情報を受信する。制御部２２は、気象情報を第１送受信部２１から受け取り第２演算部２４へ渡す。第２演算部２４は、気象情報に基づいて、空調負荷量の予測値を演算する。例えば、第２演算部２４は、文献（空気調和・衛生工学会：「蓄熱システムの最適化と負荷予測」、空気調和・衛生工学会オープンフォーラムｐｐ．１０３−２００、平成１０年１２月）などに示される方法により、空調負荷量の予測値を演算する。そして、第２演算部２４は、実施形態の「（室内機の運転状態の演算方法）」と同様の方法により、室内機６２ａ，・・・の運転状態すなわち室内機６２ａ，・・・の電力量按分値を演算する。
【００８７】
このように、室外機６１ａ，６１ｂ，・・・の使用電力量と空調設備群６０（６０ａ，・・・）の総消費電力量と要望と気象情報とに基づいて各室内機６２ａ，・・・の運転状態を演算するので、気象により各室内機６２ａ，・・・の運転状態が変化する場合でも、要望に適した空調環境が提供される。
（Ｃ）複数の室内機６２ａ，・・・が配備されているのは、各１部屋ＲＭ１，・・・である代わりに、連通している複数の部屋であってもよいし、１部屋を分割した領域（ゾーン）であってもよい。複数の室内機６２ａ，・・・が配備されているのが１部屋を分割した領域（ゾーン）である場合、領域（ゾーン）ごとに室内機６２ａ，・・・の稼働台数が制御されるので、部屋の温度ムラを低減することが可能である。
【００８８】
各室内機６２ａ，・・・に対する室外機６１ａ，・・・は、２つ以上であってもよい。
各室内機６２ａ，・・・は、図５に示すように、吹き出し空気温度センサ８２ａ，・・・をさらに備えてもよい。この場合、吹き出し空気温度センサ８２ａ，・・・は、吹き出し口付近に備えられており、吹き出し温度τａａ，τａｂ，・・・を取得する。そして、空調設備６０ａの室内機６２ａ，・・・から部屋ＲＭ１へ単位時間あたりに供給される熱量ｑａａ，ｑａｂ，・・・は、式１の代わりに、次の式１１により計算されてもよい。
【００８９】
ｑａａ＝Ｖａａ×Ａａａ×（τａａ−Ｔａａ）×Ｋｈ              ・・・（式１１）
ここで、Ｋｈは係数である。ｑａｂ，ｑａｃ，・・・も式１１と同様に計算される。
（Ｄ）式９における補正係数Ｋｆや式１０における補正係数Ｋｇは、１．２〜１．５であることが好ましい。
【００９０】
また、式９における補正係数Ｋｆや式１０における補正係数Ｋｇは、定数である代わりに、外気温度をパラメータとした変数であってもよい。すなわち、第１決定部２５が外気温度をさらに考慮して室内機６２ａ，・・・の稼働台数を決定するので、外気温度が変動する場合であっても、式９や式１０により、室内機６２ａ，・・・の稼働台数を精度よく決定することができる。
【００９１】
それから、図４に示す処理の流れにおいて、ステップＳ９は省略されてもよい。この場合、ステップＳ５において、室内機６２ａ，・・・の運転状態として現在より第１期間前から現在までについて平均された値が用いられてもよい。
（Ｅ）室内機６２ａ，・・・の運転状態は、室外機６１ａ，・・・の運転能力（電動式圧縮機４１ａ，・・・の運転能力）を室内機６２ａ，・・・に割り当てた値であってもよい。この場合、室外機６１ａ，６１ｂ，・・・の室外供給熱量Ｑａ，・・・は、式７の代わりに次に示す式１２，式１３により計算される。
【００９２】
例えば、Ｑａは、
Ｍａａ＝冷房運転
のとき、
Ｑａ＝｛（Ｃａａ＋Ｃａｂ＋Ｃａｃ＋・・・）×ＱＣａ｝／（ＭＣａ）
・・・（式１２）
の式により計算される。ここで、Ｃａａ，・・・は、室内機６２ａ，・・・に割り当てられた運転能力の値を示す。ＭＣａは、電動式圧縮機４１ａ，・・・の運転能力の最大値を示す。Ｑｂ，・・・も式１２と同様に計算される。
【００９３】
例えば、Ｑａは、
Ｍａａ＝暖房運転
のとき、
Ｑａ＝｛（Ｃａａ＋Ｃａｂ＋Ｃａｃ＋・・・）×ＱＨａ｝／（ＭＣａ）
・・・（式１３）
の式により計算される。ここで、Ｃａａ，・・・は、室内機６２ａ，・・・に割り当てられた運転能力の値を示す。ＭＣａは、電動式圧縮機４１ａ，・・・の運転能力の最大値を示す。Ｑｂ，・・・も式１３と同様に計算される。
【００９４】
このように、室外機６１ａ，・・・の運転能力（電動式圧縮機４１ａ，・・・の運転能力）を室内機６２ａ，・・・に割り当てた値が室内機６２ａ，・・・の運転状態として用いられることにより、電力量を介さずに室外供給熱量Ｑａ，・・・が求められる。このため、電流計群４０（４０ａ，４０ｂ，・・・）や電力量計７２が無くても室外供給熱量Ｑａ，・・・が求められる。すなわち、空調システム１の構成を簡略化することができる。
【００９５】
なお、運転能力の値は、運転能力の最大値に対する割合（０〜１００％）であってもよいし、電動式圧縮機４１ａ，・・・の運転周波数の値であってもよい。
あるいは、室内機６２ａ，・・・の運転状態は、室内機６２ａ，・・・の空調負荷量であってもよい。この場合、空調負荷量は、式１と式２とを用いて求められた値が用いられる。そして、室外機６１ａ，６１ｂ，・・・の室外供給熱量Ｑａ，・・・は、式７の代わりに次に示す式１４，式１５により計算される。
【００９６】
例えば、Ｑａは、
Ｍａａ＝冷房運転
のとき、
Ｑａ＝｛（Ｓａａ＋Ｓａｂ＋Ｓａｃ＋・・・）×ＱＣａ｝／（ＱＣａ）
・・・（式１４）
の式により計算される。ここで、Ｓａａ，・・・は、式１及び式２により計算されたものである。Ｑｂ，・・・も式１４と同様に計算される。
【００９７】
例えば、Ｑａは、
Ｍａａ＝暖房運転
のとき、
Ｑａ＝｛（Ｓａａ＋Ｓａｂ＋Ｓａｃ＋・・・）×ＱＨａ｝／（ＱＨａ）
・・・（式１５）
の式により計算される。ここで、Ｓａａ，・・・は、式１及び式２により計算されたものである。Ｑｂ，・・・も式１５と同様に計算される。
【００９８】
このように、室内機６２ａ，・・・の空調負荷量が室内機６２ａ，・・・の運転状態として用いられることにより、室内機６２ａ，・・・の稼働台数を決めるための演算が全体として簡略化される。これにより、演算のためのプログラムのサイズは小さくなり、演算のためのプログラムを記憶するための記憶容量も小さくなる。
なお、室内機６２ａ，・・・の運転状態は、１以上の室外機６１ａ，・・・の消費電力量を室内機６２ａ，・・・に割り当てた値、１以上の室外機６１ａ，・・・の運転能力を室内機６２ａ，・・・に割り当てた値、１以上の室外機６１ａ，・・・の圧縮機の運転周波数を室内機６２ａ，・・・に割り当てた値、及び室内機６２ａ，・・・の空調負荷のいずれか２つ以上を組み合わせたものであってもよい。
【００９９】
（Ｆ）図６に示す空調システム１ａにおいて、管理装置２０ａは、図７に示すように、表示部３１ａをさらに備えてもよい。この場合、表示部３１ａは、室内機６２ａ，・・・の運転状態の情報を制御部２２経由で第２演算部２４から受け取る。表示部３１ａは、部屋ＲＭ１，・・・における室内機６２ａ，・・・の稼働台数の情報を制御部２２経由で第１決定部２５から受け取る。表示部３１ａは、室内機６２ａ，・・・の運転状態を部屋ＲＭ１，・・・において稼働する室内機６２ａ，・・・について合計した値と室内機６２ａ，・・・の稼働台数との相関関係を表示する。例えば、表示部３１ａは、図８に示すような情報（グラフＤ１，グラフＤ２）を表示する。
【０１００】
図８のグラフＤ１，グラフＤ２において、部屋ＲＭ１，・・・において稼働する室内機６２ａ，・・・について室内機６２ａ，・・・の運転状態（室内機６２ａ，・・・の電力量按分値）を合計した値を示すのが横軸であり、室内機６２ａ，・・・の稼働台数を示すのが縦軸である。すなわち、図８のグラフＤ１には、本発明の制御方法が用いられた場合について、部屋ＲＭ１，・・・において稼働する室内機６２ａ，・・・について室内機６２ａ，・・・の運転状態を合計した値と室内機６２ａ，・・・の稼働台数との相関関係が示されている。図８のグラフＤ２には、従来の方法が用いられた場合について、部屋ＲＭ１，・・・において稼働する室内機６２ａ，・・・について室内機６２ａ，・・・の運転状態を合計した値と室内機６２ａ，・・・の稼働台数との相関関係が示されている。表示部３１ａが表示したグラフＤ１とグラフＤ２とを比較することにより、消費電力量や電力料金の削減効果を確認することができる。
【０１０１】
このように、部屋ＲＭ１，・・・において稼働する室内機６２ａ，・・・について室内機６２ａ，・・・の運転状態を合計した値と室内機６２ａ，・・・の稼働台数との相関関係を表示部３１ａが表示するので、必要以上の台数の室内機６２ａ，・・・が稼働されることが低減できていることが確認される。
（Ｇ）図９に示す空調システム１ｂにおいて、管理装置２０ｂは、図１０に示すように、第２決定部３２ｂと第３記憶部３３ｂとをさらに備えてもよい。すなわち、第３記憶部３３ｂは、室内機６２ａ，・・・の運転状態の情報を制御部２２経由で第２演算部２４から受け取る。第３記憶部３３ｂは、室内機６２ａ，・・・の稼働台数の情報を制御部２２経由で第１決定部２５から受け取る。第３記憶部３３ｂは、室内機６２ａ，・・・の運転状態と室内機６２ａ，・・・の稼働台数との相関関係を記憶する。例えば、第３記憶部３３ｂは、図８のグラフＤ１に示すような情報を記憶する。
【０１０２】
室内機６２ａ，・・・の稼働台数の決定は、室内機６２ａ，・・・の運転状態と室内機６２ａ，・・・の稼働台数との相関関係の情報が第３記憶部３３ｂにある程度蓄積されるまで、第１決定部２５により行われる。そして、その情報が第３記憶部３３ｂにある程度蓄積されたら、室内機６２ａ，・・・の稼働台数の決定は、第１決定部２５の代わりに、第２決定部３２ｂにより行われることになる。
【０１０３】
第２決定部３２ｂは、各室内機６２ａ，・・・の運転状態の情報を制御部２２経由で第２演算部２４から受け取る。第２決定部３２ｂは、稼働台数の実績の情報、すなわち室内機６２ａ，・・・の運転状態と室内機６２ａ，・・・の稼働台数との相関関係の情報を、制御部２２経由で第３記憶部３３ｂから受け取る。第２決定部３２ｂは、各室内機６２ａ，・・・の運転状態と室内機６２ａ，・・・の稼働台数の実績とに基づいて、部屋ＲＭ１，・・・における室内機６２ａ，・・・の稼働台数を決定する。
【０１０４】
このように、室内機６２ａ，・・・の運転状態と室内機６２ａ，・・・の稼働台数の実績とに基づいて部屋ＲＭ１，・・・における室内機６２ａ，・・・の稼働台数を第２決定部３２ｂが決定するので、室内機６２ａ，・・・の稼働台数は容易に決定される。
（Ｈ）本発明において、室内機６２ａ，・・・のサーモオフ状態では、ファン６２ａｂ，・・・が稼働し、膨張弁６２ａｃ，・・・が閉状態である。
【０１０５】
一方、サーモオフ状態において、ファン６２ａｂ，・・・が停止されるようにすることも考えられる。しかし、この場合、サーモオフ状態において、ファン６２ａｂ，・・・が停止されているので、吸い込み空気温度センサ９２ａ，・・・の測定精度が著しく低下する。すなわち、吸い込み空気温度センサ９２ａ，・・・は、室内熱交換器６２ａａ，・・・の近くにあり、ファン６２ａｂ，・・・が稼働していないと室内熱交換器６２ａａ，・・・付近に滞留している空気温度（≒冷媒温度）を検知するおそれがある。また、吸い込み空気温度センサ９２ａ，・・・が正確な温度を検出するまでに遅れが生じるおそれがある。
【０１０６】
なお、サーモオフ状態においてファン６２ａｂ，・・・が停止されている場合、空調負荷が少しでもあると演算されて判断されれば室内機６２ａ，・・・が稼働するように制御されることになる。この場合、空調負荷の大小を考慮せずに、室内機６２ａ，・・・の稼働台数が成り行きで決められるので、室外供給熱量Ｑａ，・・・に対して室内機６２ａ，・・・の稼働台数は必要最低限なものとならない。例えば、空調負荷が小さく１台の室内機６２ａ，・・・の能力だけで負荷を十分に処理できる場合であっても、複数の室内機６２ａ，・・・がその空調負荷を処理するために稼働してしまうおそれがある。その結果、消費エネルギーを十分に低減できないことになる。
【０１０７】
以上より、室内機６２ａ，・・・のサーモオフ状態において、ファン６２ａｂ，・・・が停止されるようにすることも可能であるが上記のような問題が起こるおそれがあるので、ファン６２ａｂ，・・・は稼働させておくことが好ましい。
（Ｉ）本発明の実施形態では、室外機群６１（６１ａ，６１ｂ，・・・）が電流計群４０（４０ａ，４０ｂ，・・・）を備えているが、室外機群６１（６１ａ，６１ｂ，・・・）が電流計群４０（４０ａ，４０ｂ，・・・）を備えないように構成することも可能である。例えば、室外機群６１の代わりに１台の室外機が空調設備群６０（６０ａ，６０ｂ，・・・）に接続されている場合である。この場合、室内機６２ａ，・・・の運転状態が演算される際に、式３の代わりに、
Ｐａ＝ｐａ                                                    ・・・（式３ａ）
が用いられることになる。
【産業上の利用可能性】
【０１０８】
本発明にかかる空調システム及び制御方法は、消費エネルギーを十分に低減することができるという効果を有し、空調システム及び制御方法等として有用である。
【図面の簡単な説明】
【０１０９】
【図１】本発明の実施形態による空調システムの構成図。
【図２】本発明の実施形態による管理装置の構成図。
【図３】本発明の実施形態による空調設備の構成図。
【図４】空調システムが空調設備群を制御する処理の流れを示すフローチャート。
【図５】空調設備群の室内機の空調負荷量の演算方法を説明するための図。
【図６】本発明の実施形態の変形例による空調システムの構成図。
【図７】本発明の実施形態の変形例による管理装置の構成図。
【図８】表示部が表示する画面の例を示す概念図。
【図９】本発明の実施形態の変形例による空調システムの構成図。
【図１０】本発明の実施形態の変形例による管理装置の構成図。
【符号の説明】
【０１１０】
１，１ａ，１ｂ  空調システム
１０  第１ネットワーク
２０  管理装置
２２  制御部
２３  第１演算部
２４  第２演算部
２５  第１決定部
２６  第１記憶部
２７  第２記憶部
３１ａ  表示部
３２ｂ  第２決定部
３５ａ等  リモコン
５０  第２ネットワーク
６０  空調設備群
６１ａ等  室外機
６２ａ等  室内機
６２ａａ等  室内熱交換器
６２ａｂ等  ファン
６２ａｃ等  膨張弁
７０  電力供給設備群
ＲＭ１等  部屋
【図１】
2006220345.tif 000003
【図２】
2006220345.tif 000004
【図３】
2006220345.tif 000005
【図４】
2006220345.tif 000006
【図５】
2006220345.tif 000007
【図６】
2006220345.tif 000008
【図７】
2006220345.tif 000009
【図８】
2006220345.tif 000010
【図９】
2006220345.tif 000011
【図１０】
2006220345.tif 000012